【手続補正書】
【提出日】平成17年1月24日(2005.1.24)
【手続補正１】
【補正対象書類名】特許請求の範囲
【補正対象項目名】全文
【補正方法】変更
【補正の内容】
【特許請求の範囲】
【請求項１】
高分子量の第２のポリマーと複合化したポリアニリンを含む組成物であって、前記ポリアニリンはアニリンモノマー単位を含み、前記アニリンモノマー単位のそれぞれは、下記の式ＩＩＩおよび下記の式ＩＶから選択される式を有し、前記第２のポリマーは下記の式ＩＩを有することを特徴とする組成物
【化１】
2004523623.tif 000001
（式中、式ＩＩＩおよびＩＶにおいて、
ｎは０〜４の整数であり、
ｍは１〜５の整数であり、但しｎ＋ｍ＝５であり、
Ｒ1は、各場合で同一または異なるように独立して選択され、アルキル、アルケニル、アルコキシ、シクロアルキル、シクロアルケニル、アルカノイル、アルキルチオ、アリールオキシ、アルキルチオアルキル、アルキルアリール、アリールアルキル、アミノ、アルキルアミノ、ジアルキルアミノ、アリール、アルキルスルフィニル、アルコキシアルキル、アルキルスルホニル、アリールチオ、アリールスルフィニル、アルコキシカルボニル、アリールスルホニル、カルボン酸、ハロゲン、シアノ、あるいは１つ以上のスルホン酸部分、カルボン酸部分、ハロ部分、ニトロ部分、シアノ部分、またはエポキシ部分で置換されたアルキルから選択されるか、あるいは任意の２つのＲ1基が一緒になって、３、４、５、６、または７員の芳香環または脂環式を完成させるアルキレン鎖またはアルケニレン鎖を形成してもよく、環は１つ以上の、２価の窒素原子、硫黄原子、または酸素原子を任意選択で含んでいてもよく、
式ＩＩにおいて、
Ｒ2は、スチレン、置換スチレン、ビニル類、ビニル芳香族、アクリレート類、メタクリレート類、およびそれらの組合わせから選択されるポリマー単位であり、
ａは約１〜約１０の整数であり、
ｂは、分子量が１００，０００を超えるのに十分な数である）。
【請求項２】
ポリアニリン／第２のポリマー複合体の製造方法であって、
（ａ）前記アニリンモノマーのそれぞれが下記の式Ｉを有する複数のアニリンモノマーと、下記の式ＩＩを有する高分子量の第２のポリマーとを混合する水溶液を調製する工程と、
【化２】
2004523623.tif 000002
（式中、式Ｉにおいて、
ｎは０〜４の整数であり、
ｍは１〜５の整数であり、但しｎ＋ｍ＝５であり、
Ｒ1は、各場合で同一または異なるように独立して選択され、アルキル、アルケニル、アルコキシ、シクロアルキル、シクロアルケニル、アルカノイル、アルキルチオ、アリールオキシ、アルキルチオアルキル、アルキルアリール、アリールアルキル、アミノ、アルキルアミノ、ジアルキルアミノ、アリール、アルキルスルフィニル、アルコキシアルキル、アルキルスルホニル、アリールチオ、アリールスルフィニル、アルコキシカルボニル、アリールスルホニル、カルボン酸、ハロゲン、シアノ、あるいは１つ以上のスルホン酸部分、カルボン酸部分、ハロ部分、ニトロ部分、シアノ部分、またはエポキシ部分で置換されたアルキルから選択されるか、あるいは任意の２つのＲ1基が一緒になって、３、４、５、６、または７員の芳香環または脂環式を完成させるアルキレン鎖またはアルケニレン鎖を形成してもよく、環は１つ以上の、２価の窒素原子、硫黄原子、または酸素原子を任意選択で含んでいてもよく、式ＩＩにおいて、
Ｒ2は、スチレン、置換スチレン、ビニル類、ビニル芳香族、アクリレート類、メタクリレート類、およびそれらの組合わせから選択されるポリマー単位であり、
ａは約１〜約１０の整数であり、
ｂは、分子量が１００，０００を超えるのに十分な数である）
（ｂ）酸化剤を前記水溶液に加えて反応混合物を調製する工程と
を含むことを特徴とする方法。
【請求項３】
請求項１に記載の組成物が前記ポリアニリン／第２のポリマー複合体の分散水溶液であって、該ポリアニリン／第２のポリマー複合体の濃度が、該分散水溶液の総重量を基準にして０．１〜５．０重量％であることを特徴とする請求項１に記載の組成物。
【請求項４】
請求項１に記載の組成物が前記ポリアニリン／第２のポリマー複合体の分散水溶液であって、該ポリアニリン／第２のポリマー複合体の濃度が、該分散水溶液の総重量を基準にして０．５〜２．０重量％であることを特徴とする請求項１に記載の組成物。
【請求項５】
前記ポリアニリンが少なくとも５０個の前記モノマー単位を有することを特徴とする請求項１に記載の組成物。
【請求項６】
前記第２のポリマーが、スチレンおよび置換スチレンスルホン酸ポリマー、スルホン化ビニル芳香族ポリマー、ビニルスルホン酸ポリマー、スルホン化アクリレートポリマー、スルホン化メタクリレートポリマー、ならびに１種類以上の、スチレンおよび置換スチレンスルホン酸ポリマー、スルホン化ビニル芳香族ポリマー、ビニルスルホン酸ポリマー、スルホン化アクリレートポリマー、スルホン化メタクリレートポリマーのコポリマーから選択されることを特徴とする請求項１に記載の組成物。
【請求項７】
前記第２のポリマーが、ポリ（スチレンスルホン酸）、ポリ（２−メチルスチレンスルホン酸）、ポリ（４−フェニルスチレンスルホン酸）、およびスルホン化ポリ（α−ビニルナフタレン）、ポリ（ビニルスルホン酸）、スルホン化ポリ（安息香酸ビニル）、スルホン化ポリ（アクリル酸ベンジル）、およびスルホン化ポリ（メタクリル酸ベンジル）から選択されることを特徴とする請求項１に記載の組成物。
【請求項８】
請求項１、３〜７のいずれか一項に記載の組成物を含む少なくとも１つの層を有することを特徴とする有機電子デバイス。
【手続補正２】
【補正対象書類名】明細書
【補正対象項目名】００６６
【補正方法】変更
【補正の内容】
【００６６】
デバイスの平均電圧は５．０Ｖであり、平均郊率は６．８ｃｄ／Ａであり、印加電流８．３ｍＡ／ｃｍ2における平均発光効率は４．２Ｌｍ／Ｗであった。
本発明の好ましい態様を以下に示す。
１．  高分子量の第２のポリマーと複合化したポリアニリンを含む組成物であって、前記ポリアニリンはアニリンモノマー単位を含み、前記アニリンモノマー単位のそれぞれは、下記の式ＩＩＩおよび下記の式ＩＶから選択される式を有し、前記第２のポリマーは下記の式ＩＩを有することを特徴とする組成物
【化３】
2004523623.tif 000003
（式中、式ＩＩＩおよびＩＶにおいて、
ｎは０〜４の整数であり、
ｍは１〜５の整数であり、但しｎ＋ｍ＝５であり、
Ｒ1は、各場合で同一または異なるように独立して選択され、アルキル、アルケニル、アルコキシ、シクロアルキル、シクロアルケニル、アルカノイル、アルキルチオ、アリールオキシ、アルキルチオアルキル、アルキルアリール、アリールアルキル、アミノ、アルキルアミノ、ジアルキルアミノ、アリール、アルキルスルフィニル、アルコキシアルキル、アルキルスルホニル、アリールチオ、アリールスルフィニル、アルコキシカルボニル、アリールスルホニル、カルボン酸、ハロゲン、シアノ、あるいは１つ以上のスルホン酸部分、カルボン酸部分、ハロ部分、ニトロ部分、シアノ部分、またはエポキシ部分で置換されたアルキルから選択されるか、あるいは任意の２つのＲ1基が一緒になって、３、４、５、６、または７員の芳香環または脂環式を完成させるアルキレン鎖またはアルケニレン鎖を形成してもよく、環は１つ以上の、２価の窒素原子、硫黄原子、または酸素原子を任意選択で含んでいてもよく、
式ＩＩにおいて、
Ｒ2は、スチレン、置換スチレン、ビニル類、ビニル芳香族、アクリレート類、メタクリレート類、およびそれらの組合わせから選択されるポリマー単位であり、
ａは約１〜約１０の整数であり、
ｂは、分子量が１００，０００を超えるのに十分な数である）。
２．  ポリアニリン／第２のポリマー複合体の製造方法であって、
（ａ）前記アニリンモノマーのそれぞれが下記の式Ｉを有する複数のアニリンモノマーと、下記の式ＩＩを有する高分子量の第２のポリマーとを混合する水溶液を調製する工程と、
【化４】
2004523623.tif 000004
（式中、式Ｉにおいて、
ｎは０〜４の整数であり、
ｍは１〜５の整数であり、但しｎ＋ｍ＝５であり、
Ｒ1は、各場合で同一または異なるように独立して選択され、アルキル、アルケニル、アルコキシ、シクロアルキル、シクロアルケニル、アルカノイル、アルキルチオ、アリールオキシ、アルキルチオアルキル、アルキルアリール、アリールアルキル、アミノ、アルキルアミノ、ジアルキルアミノ、アリール、アルキルスルフィニル、アルコキシアルキル、アルキルスルホニル、アリールチオ、アリールスルフィニル、アルコキシカルボニル、アリールスルホニル、カルボン酸、ハロゲン、シアノ、あるいは１つ以上のスルホン酸部分、カルボン酸部分、ハロ部分、ニトロ部分、シアノ部分、またはエポキシ部分で置換されたアルキルから選択されるか、あるいは任意の２つのＲ1基が一緒になって、３、４、５、６、または７員の芳香環または脂環式を完成させるアルキレン鎖またはアルケニレン鎖を形成してもよく、環は１つ以上の、２価の窒素原子、硫黄原子、または酸素原子を任意選択で含んでいてもよく、式ＩＩにおいて、
Ｒ2は、スチレン、置換スチレン、ビニル類、ビニル芳香族、アクリレート類、メタクリレート類、およびそれらの組合わせから選択されるポリマー単位であり、
ａは約１〜約１０の整数であり、
ｂは、分子量が１００，０００を超えるのに十分な数である）
（ｂ）酸化剤を前記水溶液に加えて反応混合物を調製する工程と
を含むことを特徴とする方法。
３．  前記１．に記載の組成物が前記ポリアニリン／第２のポリマー複合体の分散水溶液であって、該ポリアニリン／第２のポリマー複合体の濃度が、該分散水溶液の総重量を基準にして０．１〜５．０重量％であることを特徴とする１．に記載の組成物。
４．  前記１に記載の組成物が前記ポリアニリン／第２のポリマー複合体の分散水溶液であって、該ポリアニリン／第２のポリマー複合体の濃度が、該分散水溶液の総重量を基準にして０．５〜２．０重量％であることを特徴とする１．に記載の組成物。
５．  前記ポリアニリンが少なくとも５０個の前記モノマー単位を有することを特徴とする１．に記載の組成物。
６．  前記第２のポリマーが、スチレンおよび置換スチレンスルホン酸ポリマー、スルホン化ビニル芳香族ポリマー、ビニルスルホン酸ポリマー、スルホン化アクリレートポリマー、スルホン化メタクリレートポリマー、ならびに１種類以上の、スチレンおよび置換スチレンスルホン酸ポリマー、スルホン化ビニル芳香族ポリマー、ビニルスルホン酸ポリマー、スルホン化アクリレートポリマー、スルホン化メタクリレートポリマーのコポリマーから選択されることを特徴とする１．に記載の組成物。
７．  前記第２のポリマーが、ポリ（スチレンスルホン酸）、ポリ（２−メチルスチレンスルホン酸）、ポリ（４−フェニルスチレンスルホン酸）、およびスルホン化ポリ（α−ビニルナフタレン）、ポリ（ビニルスルホン酸）、スルホン化ポリ（安息香酸ビニル）、スルホン化ポリ（アクリル酸ベンジル）、およびスルホン化ポリ（メタクリル酸ベンジル）から選択されることを特徴とする１．に記載の組成物。
８．  前記第２のポリマーがポリ（スチレンスルホン酸）であり、好ましくは前記第２のポリマーは、ポリ（スチレン／２−メチルスチレンスルホン酸）、ポリ（スチレン／ビニルスルホン酸）、およびポリ（スチレン／ビニル／２−メチルスチレンスルホン酸）から選択されることを特徴とする１．に記載の組成物。
９．  前記酸化剤が過硫酸アンモニウムであることを特徴とする２．に記載の方法。
１０．  前記水溶液が酵素をさらに含み、好ましくは前記酵素は、西洋ワサビペルオキシダーゼ、および大豆ペルオキシダーゼから選択されるペルオキシダーゼであることを特徴とする２．に記載の方法。
１１．  （ｃ）前記反応混合物から得られるポリアニリン／第２のポリマー複合体を単離する工程をさらに含み、好ましくは、
（ｄ）工程（ｃ）で得られる前記ポリアニリン／第２のポリマー複合体に水を加えて所望の濃度の分散液を調製する工程をさらに含むことを特徴とする２．に記載の方法。
１２．  １．、３．〜８．のいずれか一項に記載の組成物を含む少なくとも１つの層を有することを特徴とする有機電子デバイス。
１３．  アノード層（１１０）、導電層（１２０）、有機活性層（１３０）、およびカソード層（１５０）を含み、前記導電層（１２０）が１．、３．〜８．のいずれか一に記載の組成物を含むことを特徴とする有機電子デバイス。
１４．  前記有機活性層が発光層であることを特徴とする１３．に記載のデバイス。
１５．  前記導電層の導電率が１０-8Ｓ／ｃｍ〜１０Ｓ／ｃｍであることを特徴とする１３．に記載のデバイス。
１６．  前記有機活性層と前記カソードの間に、電子輸送を促進するための層（１４０）をさらに含むことを特徴とする１３．に記載のデバイス。
１７．  前記層（１４０）が、トリス（８−ヒドロキシキノラト）アルミニウム、２，９−ジメチル−４，７−ジフェニル−１，１０−フェナントロリンや４，７−ジフェニル−１，１０−フェナントロリン（ＤＰＡ）などのフェナントロリン系化合物、２−（４−ビフェニルイル）−５−（４−ｔ−ブチルフェニル）−１，３，４−オキサジアゾール、および３−（４−ビフェニルイル）−４−フェニル−５−（４−ｔ−ブチルフェニル）−１，２，４−トリアゾールから選択されることを特徴とする１６．に記載のデバイス。